【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
固定電極と可動電極からなる接点の投入及び遮断を作動油により行う開閉装置用駆動装置であって、
前記開閉装置用駆動装置は、前記可動電極と連結されたロッドと、該ロッドに接続された操作ピストンと、該操作ピストンが摺動する操作シリンダ、投入用及び遮断用の前記作動油を蓄圧する投入用蓄圧室及び遮断用蓄圧室、前記操作シリンダ内の前記作動油の圧力を制御する主制御弁から成る流体圧機構部と、前記投入用蓄圧室内を摺動する投入用蓄圧ピストンと、該投入用蓄圧ピストンに駆動力を与え、前記投入用蓄圧室内の前記作動油を加圧する投入用蓄圧ばねと、前記遮断用蓄圧室内を摺動する遮断用蓄圧ピストンと、該遮断用蓄圧ピストンに駆動力を与え、前記遮断用蓄圧室内の前記作動油を加圧する遮断用蓄圧ばねと、前記投入用蓄圧ばね及び前記遮断用蓄圧ばねを収納するばねケースとを備え、
前記遮断用蓄圧ばねは、前記投入用蓄圧ばねの内部に配置されていることを特徴とする開閉装置用駆動装置。
【請求項２】
請求項１に記載の開閉装置用駆動装置において、
前記投入用蓄圧ばね及び前記遮断用蓄圧ばねは、コイルばねで構成されていると共に、同心円状に配置されていることを特徴とする開閉装置用駆動装置。
【請求項３】
請求項１又は２に記載の開閉装置用駆動装置において、
前記操作ピストンは、前記操作シリンダ内の接点側の小受圧面積室及び該小受圧面積室とは反対側のシリンダ制御室に区分され、前記遮断用蓄圧室は、前記小受圧面積室に前記作動油が通る通路を介して接続されると共に、前記遮断用蓄圧室内には前記遮断用蓄圧ピストンが摺動可能に配置され、前記遮断用蓄圧ばねの蓄圧力を前記遮断用蓄圧ピストンを介して前記遮断用蓄圧室の前記作動油に与えるように構成され、かつ、前記投入用蓄圧室内には前記投入用蓄圧ピストンが摺動可能に配置され、前記投入用蓄圧ばねの蓄圧力を前記投入用蓄圧ピストンを介して前記投入用蓄圧室の前記作動油に与えるように構成されていることを特徴とする開閉装置用駆動装置。
【請求項４】
請求項３に記載の開閉装置用駆動装置において、
前記主制御弁は、前記シリンダ制御室と前記投入用蓄圧室との間に設けられ、前記シリンダ制御室につながる切換えポート、前記投入用蓄圧室につながる高圧ポート及び低圧のタンクにつながる低圧ポートを備え、弁体の移動によって前記切換えポートの前記高圧ポート或いは前記低圧ポートへの接続を選択することによって、前記シリンダ制御室の圧力を制御するように構成されていることを特徴とする開閉装置用駆動装置。
【請求項５】
請求項４に記載の開閉装置用駆動装置において、
前記ばねケースは、一端が底部をもつ筒状に形成されていると共に、前記ばねケースの底部とは反対側の開放側には、その開放部を封鎖するように前記流体圧機構部が設置されていることを特徴とする開閉装置用駆動装置。
【請求項６】
請求項５に記載の開閉装置用駆動装置において、
前記投入用蓄圧室及び遮断用蓄圧室は、円筒穴形状で、かつ、前記ばねケースの内側に開放部を持つように形成されていることを特徴とする開閉装置用駆動装置。
【請求項７】
請求項６に記載の開閉装置用駆動装置において、
前記投入用蓄圧ピストンは、中心に穴が形成されている円板部と、該円板部に突き出している形状の少なくとも１つの円筒部とを備え、前記円筒部は、前記投入用蓄圧室内を摺動可能に配置され、かつ、前記投入用蓄圧ピストンの前記円筒部とは反対側の前記円板部には前記投入用蓄圧ばねの一端が接触配置されていると共に、前記投入用蓄圧ばねの他端が前記ばねケースの底部に接触配置され、
一方、前記遮断用蓄圧ピストンは、円板部と、該円板部に突き出している形状の少なくとも１つの円筒部とを備え、前記円筒部は、前記遮断用蓄圧室を摺動可能に配置され、かつ、前記遮断用蓄圧ばねは、一端が前記ばねケースの底部に接触配置されていると共に、他端が前記遮断用蓄圧ピストンに接触配置されていることを特徴とする開閉装置用駆動装置。
【請求項８】
請求項７に記載の開閉装置用駆動装置において、
前記投入用蓄圧ピストンの円板部に形成されている前記穴内を、前記遮断用蓄圧ピストンが移動可能に配置されていると共に、前記投入用蓄圧ばね及び前記遮断用蓄圧ばねの中心を基準に、内側に前記遮断用蓄圧室及び前記遮断用蓄圧ピストンの円筒部、外側に前記投入用蓄圧室及び前記投入用蓄圧ピストンの円筒部が配置され、
一方、前記操作シリンダは、前記流体圧機構部の前記遮断用蓄圧室の内側に設けられ、かつ、該操作シリンダは、前記操作ピストンが摺動する大径部と、前記小受圧面積室側の端部に、前記大径部よりも小径の小受圧面積室側小径部とが設けられていると共に、前記シリンダ制御室側の端部にも前記大径部よりも小径のシリンダ制御室側小径部が設けられ、前記遮断用蓄圧室は、管路を介して前記小受圧面積室側小径部に接続されていることを特徴とする開閉装置用駆動装置。
【請求項９】
請求項８に記載の開閉装置用駆動装置において、
前記操作ピストンは、前記操作シリンダの大径部を摺動する摺動部と、前記シリンダ制御室側に設けられた突起部とを有し、前記突起部は、断面積が前記摺動部から離れるほど小さくなるように構成され、かつ、前記ロッドには、前記可動接触子側から径が一定又は徐々に大きくなる径増加部部が形成されていることを特徴とする開閉装置用駆動装置。
【請求項１０】
請求項９に記載の開閉装置用駆動装置において、
前記小受圧面積室側小径部の端部と前記操作シリンダの大径部の前記小受圧面積室側小径部の端部との間には、前記小受圧面積室側小径部の端部から前記大径部への一方向への流れのみを許容する第１の逆止弁が設けられると共に、前記シリンダ制御室側小径部の端部と前記大径部の前記シリンダ制御室側小径部の端部との間には、前記シリンダ制御室側小径部の端部から前記大径部への一方向への流れのみを許容する第２の逆止弁が設けられていることを特徴とする開閉装置用駆動装置。
【請求項１１】
請求項３に記載の開閉装置用駆動装置において、
前記ばねケースは底部を持つ円筒形状に形成されていると共に、該ばねケースの底部に穴部が設けられ、この穴部にはシリンダ収納部が固定され、前記ばねケースの底部とは反対側には前記流体圧機構部が固定されていることを特徴とする開閉装置用駆動装置。
【請求項１２】
請求項１１に記載の開閉装置用駆動装置において、
前記流体圧機構部内には、開路用主制御弁と閉路用主制御弁から成る主制御弁及び前記投入用蓄圧室と、それらを接続する配管が配置され、前記閉路用主制御弁は、前記シリンダ制御室と前記投入用蓄圧室を連絡する流路の途中に配置され、この両者間の流路の開閉を行い、かつ、前記開路用主制御弁は、前記シリンダ制御室とタンクを連絡する流路の途中に配置され、この両者間の流路の開閉を行うことを特徴とする開閉装置用駆動装置。
【請求項１３】
請求項１１に記載の開閉装置用駆動装置において、
前記投入用蓄圧室は少なくとも１つの円筒穴形状で、かつ、前記ばねケースの内側に開放部を持つように形成されていると共に、前記流体圧機構部の前記投入用蓄圧室の内側には、前記遮断用蓄圧ばねの一端側が接触配置され、前記投入用蓄圧ピストンは、中心に穴が形成されている円板部と、該円板部に突き出している形状の複数の円筒部とを備え、前記円筒部は、前記投入用蓄圧室内を摺動可能に配置され、かつ、前記投入用蓄圧ピストンの前記円筒部とは反対側の前記円板部には前記投入用蓄圧ばねの一端が接触配置されていると共に、前記投入用蓄圧ばねの他端が前記ばねケースの底部に接触配置され、
一方、前記遮断用蓄圧ピストンは、円板部と、該円板部に突き出している形状の複数の円筒部とを備え、前記円筒部は、前記遮断用蓄圧室を摺動可能に配置され、かつ、前記遮断用蓄圧ばねは、一端が前記流体圧機構部に接触配置されていると共に、他端が前記遮断用蓄圧ピストンに接触配置され、前記遮断用蓄圧ばねは、前記投入用蓄圧ピストンの円板部に形成されている前記穴内を伸縮可能に配置されていることを特徴とする開閉装置用駆動装置。
【請求項１４】
請求項１３に記載の開閉装置用駆動装置において、
前記シリンダ収納部は、円柱状の形状を成して前記投入用蓄圧ばねの内部に配置され、かつ、前記ばねケースの底部に固定されていると共に、前記シリンダ収納部には、円柱状の中心部に、前記操作ピストンが摺動可能な前記操作シリンダが設けられ、前記ばねケースの内部側を開放した複数の円筒穴形状の前記遮断用蓄圧室が設けられていることを特徴とする開閉装置用駆動装置。
【請求項１５】
請求項３に記載の開閉装置用駆動装置において、
前記ばねケースは底部をもつ円筒形状に形成されていると共に、前記ばねケースの底部とは反対側には前記ばねケースを閉鎖するように配置された流体圧駆動部を備え、前記流体圧機構部は、蓄圧室部とシリンダ部及び主制御弁部から構成され、
前記蓄圧室部は、前記ばねケース側に開放される円筒穴部で形成される少なくとも１つの前記投入用蓄圧室と、前記ばねケース側に開放される円筒穴部で形成される少なくとも１つの前記遮断用蓄圧室とを備え、前記シリンダ部は、前記蓄圧室部に固定され、内部に前記操作ピストンを摺動する操作シリンダを備え、該操作シリンダは、前記投入用蓄圧ばね及び/又は前記遮断用蓄圧ばねの動作方向とは直角方向となるように設置され、前記操作ピストンは、前記操作シリンダの内部を前記投入用蓄圧ばね及び/又は前記遮断用蓄圧ばねの動作方向とは直角方向に摺動し、一方、前記主制御弁部は、前記主制御弁の動作による前記作動油を変化させることで動作し、前記シリンダ制御室を前記投入用蓄圧室側か或いはタンク側に選択的に接続可能であることを特徴とする開閉装置用駆動装置。